(57)【要約】【課題】本発明は、デザインの自由度が高い筒状部材を備えるスプールを提供することを課題とする。【解決手段】本発明に係るスプール４は、釣糸巻回胴部１１の後方に設けられ、貫通孔１６が形成されたスカート部１５と、スカート部１５の内部に配置された筒状部材２０と、を備え、筒状部材２０は、筒状の補強部材２２と、補強部材２２の外周側に配置されて貫通孔１６から露出する装飾層２１と、を備えることを特徴とする。【選択図】図３
2016036276.tif 000002
【特許請求の範囲】
【請求項１】
釣糸巻回胴部の後方に設けられ、貫通孔が形成されたスカート部と、
前記スカート部の内部に配置された筒状部材と、
を備える魚釣用スピニングリールのスプールであって、
前記筒状部材は、
筒状の補強部材と、
前記補強部材の外周側に配置されて前記貫通孔から露出する装飾層と、
を備えることを特徴とする魚釣用スピニングリールのスプール。
【請求項２】
前記釣糸巻回胴部の後端から径方向外側に立ち上がる後フランジ部と、
前記スカート部の後部に螺着する抜け止め部材と、
を備え、
前記後フランジ部の後面と前記抜け止め部材の前端面とに形成された溝部に前記補強部材の両端部が嵌入されて、前記補強部材が径方向内側に変形し難くなっている
ことを特徴とする請求項１に記載の魚釣用スピニングリールのスプール。
【請求項３】
前記筒状部材には、切り欠きが形成され、
前記スカート部の内周面には、前記切り欠き内に突出する突出部が形成され、
前記突出部が前記切り欠き内に係止し、前記筒状部材が回り止めされている
ことを特徴とする請求項１又は請求項２に記載の魚釣用スピニングリールのスプール。
【発明の詳細な説明】
【技術分野】
【０００１】
本発明は、魚釣用スピニングリールのスプールに関する。
【背景技術】
【０００２】
魚釣用スピニングリールのスプールは、釣糸を巻回するための釣糸巻回胴部と、釣糸が釣糸巻回胴部内に侵入することを防止するためのスカート部と、を主に備えている。
【０００３】
ところで、下記特許文献１によれば、スプールの軽量化を図るため、スカート部に複数の貫通孔を形成することが提案されている。
【０００４】
さらに、下記特許文献１では、砂等の異物が貫通孔を通過してスプール内に侵入することを防止するため、スカート部内に筒状部材を装着させることが提案されている。
また、このようなスプールによれば、貫通孔から露出する筒状部材の色彩・模様がスプールのデザインの一部を構成し、魚釣用スピニングリールの美観向上を期待できる。
【先行技術文献】
【特許文献】
【０００５】
【特許文献１】特開２００８−５７１９号公報
【発明の概要】
【発明が解決しようとする課題】
【０００６】
しかしながら、上記特許文献１の技術によれば、筒状部材がカーボン繊維からなるＦＲＰ（Ｆｉｂｅｒ  Ｒｅｉｎｆｏｒｃｅｄ  Ｐｌａｓｔｉｃｓ）材で形成され、貫通孔から露出する部分のデザインがＦＲＰ材の模様・色彩に限定されていた。このため、デザインの自由度を向上させたい、という要望があった。
【０００７】
本発明は、このような課題を解決するために創作されたものであり、デザインの自由度が高い筒状部材を備えるスプールを提供することを目的とする。
【課題を解決するための手段】
【０００８】
前記課題を解決するため、本発明に係るスプールは、釣糸巻回胴部の後方に設けられ、貫通孔が形成されたスカート部と、前記スカート部の内部に配置された筒状部材と、を備える魚釣用スピニングリールのスプールであって、前記筒状部材は、筒状の補強部材と、前記補強部材の外周側に配置されて前記貫通孔から露出する装飾層と、を備えることを特徴とする。
【０００９】
前記する発明によれば、筒状部材が補強部材を備えており、装飾層自体に強度が要求されない。つまり、十分な強度を有していないために従来使用できなかったシート状のものを装飾層として用いることができ、デザインの自由度が向上する。
また、装飾層の裏面（内周面）を補強部材が覆うため、スカート部内に入り込んだ水が装飾層の裏面に付着し難い。このため、裏面（内周面）が耐水化加工されていない装飾層を用いることができ、デザインの自由度が格段に向上する。
【００１０】
また、前記発明によれば、筒状部材が補強部材を備えているため、物が接触して荷重を受けたとしても筒状部材が変形し難い。このため、異物が貫通孔を通過してスカート部内に侵入するおそれが低減する。
【００１１】
また、前記発明によれば、装飾層のみを変更することで、貫通孔から露出する色彩・模様を容易に変更でき、デザイン変更の低コスト化を図ることができる。
【００１２】
また、前記するスプールは、前記釣糸巻回胴部の後端から径方向外側に立ち上がる後フランジ部と、前記スカート部の後部に螺着する抜け止め部材と、を備え、前記後フランジ部の後面と前記抜け止め部材の前端面とに形成された溝部に前記補強部材の両端部が嵌入されて、前記補強部材が径方向内側に変形し難くなっていることが好ましい。
【００１３】
前記する構成によれば、溝部への嵌入により補強部材が径方向内側に変形し難くなっているため、異物が貫通孔を通過してスカート部内に侵入する可能性が極めて低い。
【００１４】
また、前記筒状部材には、切り欠きが形成され、前記スカート部の内周面には、前記切り欠き内に突出する突出部が形成され、前記突出部が前記切り欠き内に係止し、前記筒状部材が回り止めされていることが好ましい。
【００１５】
前記する構成によれば、スカート部に対する筒状部材の位置合わせ、言い換えれば、装飾層に施された模様と貫通孔との位置合わせが容易となる。
また、装飾層がスカート部内で周方向に摺動して装飾層の外周面に傷が付く、という事態を回避することができる。
【発明の効果】
【００１６】
本発明によれば、様々な部材を装飾層として用いることができるため、貫通孔から露出させることできる模様・色彩の幅が広まり、釣り人の好みに応じたスプールを用意することができる。
【００１７】
また、本発明によれば、異物がスカート部内に侵入し難いことから、スプール軸に異物が付着し難く、スプールの前後動の円滑性を保持することができる。
【００１８】
また、本発明によれば、装飾層に傷が付き難くなっていることから、装飾層の美観を維持することができる。
【図面の簡単な説明】
【００１９】
【図１】本実施形態のスプールを備えた魚釣用スピニングリールを示した全体図である。
【図２】本実施形態のスプールの側面図である。
【図３】スプールの断面を示す断面図である。
【図４】スプールを分解した分解図である。
【図５】（ａ）は、図２のＡ―Ａ線矢視断面図であり、（ｂ）は、図５の破線Ｂで囲まれた範囲を拡大した拡大図である。
【図６】（ａ）は、図３の破線Ｃで囲まれた範囲を拡大した拡大図であり、（ｂ）は、図３の破線Ｄで囲まれた範囲を拡大した拡大図である。
【図７】変形例に係るスプールの側面図である。
【発明を実施するための形態】
【００２０】
本実施形態に係る魚釣用スピニングリールについて、適宜図面を参照しながら説明する。なお、以下の説明において、「前後」及び「上下」を言うときは、図１に示した方向を基準とする。
【００２１】
（魚釣用スピニングリール）
図１に示すように、本実施形態の魚釣用スピニングリール１は、前方に突出する図示しないスプール軸（軸線Ｏ参照）を有するリール本体２と、リール本体２の前方に設けられて軸線Ｏ周りに回転可能なロータ３と、リール本体２の前方に設けられて軸線Ｏに沿って前後動可能なスプール４と、を主に備えている。
【００２２】
リール本体２の上部には、釣竿に装着される脚部２ａが設けられている。
リール本体２は、左右方向に延びるハンドル軸５を回転可能に支持しており、このハンドル軸５の端部にハンドル６が取り付けられる。また、リール本体２内には、特に図示しないが、ハンドル軸５に係合して左右軸回りに回転するドライブギヤと、ドライブギヤに歯合して前後軸回りに回転するピニオンギヤと、を備えている。
【００２３】
ピニオンギヤは、前後方向に延びる筒状部材であり、ピニオンギヤの内部空間には、図示しないスプール軸が挿通されている。ピニオンギヤの外周面にはロータ３が取り付けられており、ハンドル６の回転操作によりハンドル軸５が回転すると、ドライブギヤ、ピニオンギヤを介して、ロータ３が軸線Ｏ周りに回転するようになっている。
【００２４】
スプール軸の前部には、スプール４を装着するためのスプールメタル（不図示）が装着されている。一方で、スプール軸の後側には、図示しないオシレーティング機構が連結し、ハンドル６の回転操作によりスプール軸が前後動するようになっている。
【００２５】
（スプール）
図２、図３に示すように、スプール４は、釣糸が巻き回しされる釣糸巻回胴部１１と、釣糸巻回胴部１１の前端及び後端から径方向外側に立ち上がる前フランジ部１２及び後フランジ部１３と、釣糸巻回胴部１１の内部に設けられた略円盤状の取り付け部１４（図３参照）と、後フランジ部１３から後方に延びる略円筒状のスカート部１５と、スカート部１５内に配置された筒状部材２０と、スカート部１５の後部に取り付けられたリング状の抜け止め部材３０と、を備えている。
【００２６】
なお、図４に示すように、釣糸巻回胴部１１と前フランジ部１２と後フランジ部１３と取り付け部１４とスカート部１５とは、アルミニウム等の金属材料で一体に組み付けられている。以下、これらの構成が一体に形成されてなる金属部材をスプール本体１０と称する。
【００２７】
釣糸巻回胴部１１は、釣糸の放出抵抗を低減させるため、後方に向けて漸次小径となる逆テーパー状を呈している。
前フランジ部１２、後フランジ部１３は、釣糸巻回胴部１１から釣糸が脱落することを防止するための部位である。
後フランジ部１３の後面１３ａには、筒状部材２０の後述する前端部２４が入り込む円周状の溝部１３ｂが形成されている（図６（ａ）参照）。
【００２８】
図３に示すように、取り付け部１４の中央部には、前後方向に貫通する中央孔１４ａが形成されている。そして、この中央孔１４ａ内に、軸受（不図示）を介してスプールメタル（不図示）が挿入され、スプールメタルに対してスプール４が回動可能に取り付けられている。
また、前述したように、スプール軸がオシレーティング機構に連結し前後動するため、スプール軸とともにスプール４も前後動し、釣糸巻回胴部１１に釣糸が平行かつ均等に巻回されるようになっている。
【００２９】
（スカート部）
スカート部１５は、釣り糸が後方側から回り込んで釣糸巻回胴部１１内に入り込むことを防止するための部位である。
図４に示すように、スカート部１５には、複数の貫通孔１６と、外周面よりも径方向内側に凹む凹部１８と、凹部１８を貫通する孔１８ａと、凹部１８内に設けられた糸止め１７（図２参照）と、雌ねじ部１５ａ（図６（ｂ）参照）が形成されている。
【００３０】
貫通孔１６は、略六角形状を呈し、スカート部１５の周方向に間隔を空けて複数形成されている。このため、スプール４が軽量化し、魚釣用スピニングリール１の操作性が良好になる。
なお、本実施形態では、貫通孔１６は、略六角形状を呈しているが、本発明はこれに限定されず、矩形状、円形状、多角形状などにしてもよい。
【００３１】
図５（ｂ）に示すように、糸止め１７は、スカート部１５の外周面から離間して配置される頭部１７ａと、頭部１７ａから径方向内側に延びるとともに孔１８ａを通過してスカート部１５内に延在する内側延在部１７ｂと、を備える。
この糸止め１７によれば、内側延在部１７ｂのうち頭部１７ａとスカート部１５の外周面との間に延在する部分に、釣り糸を巻き付けて固定することができる。
なお、糸止め１７の固定は、後フランジ部１３の後面１３ａに付き刺さるピン部材Ｐにより、内側延在部１７ｂがピン止めされることで、スプール４に固定されている。
【００３２】
図５（ｂ）に示すように、凹部１８は、糸止め１７の頭部１７ａをスカート部１５の外周面よりも略径方向内側に配置させて、意図しない釣糸の引っ掛かりを防止するためのものである。なお、凹部１８に形成により、スカート部１５の内周面には、径方向内側に突出する突出部１９が形成されている。
【００３３】
図６（ｂ）に示すように、雌ねじ部１５ａは、スカート部１５の内周面の後端に形成されている。このため、抜け止め部材３０の後述する雄ねじ部３３を螺合させることで、スカート部１５の後端に抜け止め部材３０を取り付けることができる。
【００３４】
（筒状部材）
図３、図５に示すように、筒状部材２０は、スカート部１５内に装着されて、スカート部１５の貫通孔１６を閉塞する略円筒状の部材である。なお、筒状部材２０は、スカート部１５の後方からスカート部１５内に挿入されることで、スカート部１５内に装着される。
図４に示すように、筒状部材２０は、２層構造体であり、内層の補強部材２２と、補強部材２２の外周側に配置されて貫通孔１６から露出する装飾層２１と、を備えている。
また、装飾層２１は、接着材により補強部材２２の外周面２２ａに貼着され、装飾層２１と補強部材２２とが一体になっている。
【００３５】
（補強部材）
補強部材２２は、円筒状を呈している。また、補強部材２２は、比較的高い強度を有する材料で形成され、荷重を受けたとしても変形し難くなっている。
なお、補強部材２２を形成する材料に関し、例えば、樹脂や金属部材などが挙げられる。また、貫通孔１６の形成によるスプール４の軽量化が損なわれないようにするため、補強部材２２は、比重の小さい材料で形成されることが好ましい。
【００３６】
図４に示すように、補強部材２２には、矩形状の切り欠き２３と、装飾層２１よりも前方に延びる前端部２４と、が設けられている。
【００３７】
切り欠き２３は、補強部材２２の前部側をコ字状に切り欠いてなるスペースである。
また、図３、図５（ｂ）に示すように、切り欠き２３内には、スカート部１５の内周面に設けられた突出部１９が入り込み、突出部１９の側壁と切り欠き２３の周端縁とが当接している。このため、筒状部材２０に周方向の荷重が作用しても、突出部１９と切り欠き２３とが係止し、スカート部１５内で筒状部材２０が周方向に摺動しないようになっている。
【００３８】
図６（ａ）に示すように、前端部２４は、補強部材２２の下面から前方に延びて、後フランジ部１３の後面１３ａに形成された円周状の溝部１３ｂに嵌入されている。このため、補強部材２２の前部側に対し、径方向内側に向う荷重が作用しても、前端部２４と溝部１３ｂとが係合し、筒状部材２０の前部側が変形し難くなっている。
なお、前端部２４は、補強部材２２よりも小径であり、補強部材２２と前端部２４との境界に段差２５が形成されている。
【００３９】
（装飾層）
装飾層２１の表面（外周面）は、貫通孔１６から露出する部位であり、スカート部１５の美観を構成する面である。
本実施形態に係る装飾層２１は、表面がＰＰコーティングされて耐水性が高められた長方形状のシート部材により構成され、補強部材２２より薄くて軟らかく、色彩や模様が施されている。なお、図面上において、装飾層２１を解り易くするために、装飾層２１を厚く図示している。
また、装飾層２１は、図４に示すように、長手方向の一端辺２１ｂと他端辺２１ｃとで切り欠き２４を挟むように、補強部材２２の外周面２２ａに貼着されている。また、装飾層２１の前後方向の長さは、補強部材２２よりも短く、補強部材２２の後端部２２ｂ側が露出している。
【００４０】
なお、装飾層２１の貼着に関し、装飾層２１の前側の端縁２１ｄ（図６（ａ）参照）を補強部材２２の段差２５と重ね合わせながら貼着することが好ましい。この方法によれば、ずれることなく装飾層２１を補強部材２２の周方向に沿って貼着することができ、貼り直しの手間を省くことができる。
また、この方法によれば、装飾層２１が前端部２４の外周面を覆うことがない。このため、溝部１３ｂに前端部２４を入れ込む際、装飾層２１が引っ掛かって前端部２４が溝部１３ｂに入り込まない、という不利益を回避できる。
【００４１】
（抜け止め部材）
図３に示すように、抜け止め部材３０は、筒状部材２０を後フランジ部１３とで前後方向に挟み込んで、スカート部１５内から筒状部材２０が抜け落ちないようにするための部材である。
図６（ｂ）に示すように、抜け止め部材３０は、スカート部１５内に挿入される円筒状の小径筒部３１と、小径筒部３１の後部に設けられた円筒状の大径筒部３２と、を備えている。
【００４２】
小径筒部３１の外周面には、雄ねじ部３３が形成されている。そして、この雄ねじ部３３がスカート部１５の雌ねじ部１５ａに螺合し、抜け止め部材３０がスカート部１５の後部に固定されている。
また、小径筒部３１の前端面には、筒状部材２０の補強部材２２の後端部２２ｂが嵌入される円周状の溝部３４が形成されている。よって、補強部材２２の後部側に対し、径方向内側に向う荷重が作用しても、補強部材２２と溝部３４とが係合し、筒状部材２０の後部側が変形し難くなっている。
また、溝部３４に入り込む補強部材２２の後端部２２ｂは、装飾層２１に覆われていないため、溝部３４に後端部２２ｂを入れ込む際、装飾層２１が引っ掛かって後端部２２ｂが溝部３４に入り込まない、ということがない。
【００４３】
大径筒部３２は、小径筒部３１の雄ねじ部３３をスカート部１５の雌ねじ部１５ａに螺合させる場合に把持する部位である。
また、大径筒部３２の外周面は、前部側がスカート部１５の外周面と略同一径となっており、後方に向うにつれて漸次縮径している（図２参照）。
【００４４】
以上、実施形態に係るスプール４を備えた魚釣用スピニングリール１によれば、従来では、十分な強度を有していないために使用できなかったシート状のものを装飾層２１として用いることができ、デザインの自由度が向上する。
また、装飾層２１の裏面（内周面）を補強部材２２が覆うため、スカート部１５内に入り込んだ水が装飾層２１の裏面に付着し難い。このため、裏面（内周面）が耐水化加工されていないものを装飾層２１として利用することができ、装飾層２１の選択肢が増えてデザインの自由度が格段に向上する。
以上、実施形態によれば、様々な部材を装飾層として用いることができ、貫通孔から露出させることできる模様・色彩の幅が広まり、釣り人の好みに応じたスプールを用意することができる。
【００４５】
また、実施形態に係るスプール４を備えた魚釣用スピニングリール１によれば、筒状部材２０が補強部材２２を備えるため、荷重を受けたとしても筒状部材２０が変形し難い。さらに、筒状部材２０の前端部２４と後端部とが溝部１３ｂ、３４に嵌入しているため、筒状部材２０は、極めて変形し難い。
このため、筒状部材２０が変形して貫通孔１６を閉塞しない、という事態が極めて起こり難い。つまり、異物が貫通孔１６を通過してスプール軸に付着する、という事態が抑制され、スプール４の前後動の円滑性を保持することができる。
【００４６】
また、実施形態に係るスプール４を備えた魚釣用スピニングリール１によれば、長方形状のシート部材（装飾層２１）を複数用意し、補強部材２２に貼着するシート部材を交換することで、貫通孔１６から露出する色彩や模様を容易に変更できる。このため、デザイン変更の低コスト化を図ることができる。
【００４７】
また、実施形態に係る魚釣用スピニングリール１の筒状部材２０によれば、突出部１９と切り欠き２３とが係止して筒状部材２０がスカート部１５内で周方向に摺動しない。このため、装飾層２１がスカート部１５内で不必要に摺動して装飾層２１の外周面２１ａに傷が付く、という事態が回避され、装飾層２１の美観が維持できる。
【００４８】
また、実施形態に係るスプール４を備えた魚釣用スピニングリール１によれば、突出部１９に切り欠き２３を入れ込むことで、スカート部１５に対し、筒状部材２０の位置合わせが容易となる。このため、装飾層２１に施された模様を貫通孔１６から露出させるための位置合わせが容易となる。
【００４９】
以上、本実施形態に係るスプール４を備えた魚釣用スピニングリール１について説明したが、本発明は、実施形態で説明した例に限定されない。
例えば、図７に示すように、装飾層２１Ａに格子状に織り込まれた模様のＦＲＰ材を用いてもよい。このような変形例によれば、筒状部材２０が高い強度を有するため、より、筒状部材２０が変形し難くなり、スプール４の前後動の円滑性を長期に亘って保持することができる。
そのほか、装飾層２１の外周面の一部に、例えば干潮、満潮の時刻などの釣り情報を付してもよい。
【００５０】
また、本実施形態では、補強部材２２に装飾層２１貼着されて一体になっているが、本発明は、接着されず、装飾層２１と補強部材２２とが別体で、スカート部１５内に組み込まれて一体化されていれば良く、一体化する方法は特に限定されない。
【００５１】
また、本実施形態の装飾層２１は、単層であったが、複数の層を重ね合わせた多層であってもよい。具体的には、表面がＰＰコーティング加工されていないシート材上に、透明のフィルム材を貼着して多層の装飾層２１であってもよい。
【００５２】
また、本発明の装飾層２１は、透明な下地に例えば格子状の模様が付されたものであってもよい。これによれば、装飾層２１の透明な部分から視える補強部材２２が下地を構成し、補強部材２２と装飾層２１とを組み合わせたデザインが貫通孔１６から露出する。
【符号の説明】
【００５３】
１      魚釣用スピニングリール
４      スプール
１０    スプール本体
１１    釣糸巻回胴部
１５    スカート部
１６    貫通孔
１７    糸止め
１８    凹部
１９    突出部
２０    筒状部材
２１、２１Ａ  装飾層
２２    補強部材
２３    切り欠き
２４    前端部
２５    段差
３０    抜け止め部材
３１    小径筒部
３２    大径筒部
【図１】
2016036276.tif 000003
【図２】
2016036276.tif 000004
【図３】
2016036276.tif 000005
【図４】
2016036276.tif 000006
【図５】
2016036276.tif 000007
【図６】
2016036276.tif 000008
【図７】
2016036276.tif 000009